(57)【要約】【課題】雨水を滞りなく流し、かつ、接続部からの水漏れを防ぐとともに、外観の向上した竪樋の接続構造を提供する。【解決手段】エルボ１と、該エルボ１の第１差込み部１１と第２差込み部１２とに外嵌される第１カバー部材２と第２カバー部材３とからなり、かつ、上記第１差込み部２と第２差込み部３とはそれぞれ竪樋４、５に差込み可能とされ、上記第１カバー部材２と第２カバー部材３とは、その接合面をそれぞれ略４５°にカットするとともに、Ｌ字型に接続可能とされる。【選択図】図１
2005089994.tif 000002
【特許請求の範囲】
【請求項１】
エルボと、該エルボの第１差込み部と第２差込み部とに外嵌される第１カバー部材と第２カバー部材とからなり、かつ、上記第１差込み部と第２差込み部とはそれぞれ竪樋に差込み可能とされ、上記第１カバー部材と第２カバー部材とは、その接合面をそれぞれ略４５°にカットするとともに、Ｌ字型に接続可能とされたことを特徴とする竪樋の接続構造。
【請求項２】
上記第１カバー部材と第２カバー部材とが竪樋を切断して形成されたものである請求項１に記載の竪樋の接続構造。
【請求項３】
上記エルボの第１差込み部と第２差込み部の外側面にリブが突設されるとともに、上記第１カバー部材と第２カバー部材の内側面には上記リブがスライド自在に嵌合する溝部がそれぞれ凹設された請求項１に記載の竪樋の接続構造。
【請求項４】
上記エルボの第１差込み部と第２差込み部の端部に接着剤塗布用溝が設けられた請求項１に記載の竪樋の接続構造。
【発明の詳細な説明】
【技術分野】
【０００１】
本発明は、竪樋の接続構造に関する。さらに詳しくは、例えば、雨水を排水する際に用いられる竪樋をＬ字型に接続する構造に関する。
【背景技術】
【０００２】
従来、竪樋をエルボを用いて相互に接続する接続構造に関しては、種々の先行技術が知られている。しかしながら、雨水を滞りなく流し、かつ、接続部からの水漏れを防ぐとともに、外観の向上した竪樋の接続構造を提供するには、必ずしも十分とはいえない。
【特許文献１】特開２０００−２４０２３４号公報（第１−４頁、第２図、第４図）
【特許文献２】実開平４−１２９２３９号公報（第１−２頁、第１図、第３図）
【発明の開示】
【発明が解決しようとする課題】
【０００３】
本発明は上記問題を解決し、雨水を滞りなく流し、かつ、接続部からの水漏れを防ぐとともに、外観の向上した竪樋の接続構造を提供することを、その課題とする。
【課題を解決するための手段】
【０００４】
本発明は、上記課題を解決するために考え出されたものであって、つぎのような技術的手段を講じている。すなわち、本発明によれば、エルボと、該エルボの第１差込み部と第２差込み部とに外嵌される第１カバー部材と第２カバー部材とからなり、かつ、上記第１差込み部と第２差込み部とはそれぞれ竪樋に差込み可能とされ、上記第１カバー部材と第２カバー部材とは、その接合面をそれぞれ略４５°にカットするとともに、Ｌ字型に接続可能とされたことを特徴とする竪樋の接続構造が提供される。上記第１カバー部材と第２カバー部材とは、竪樋を切断して形成されたものであることが好ましい。
【０００５】
上記エルボの第１差込み部と第２差込み部の外側面にリブが突設されるとともに、上記第１カバー部材と第２カバー部材の内側面には上記リブがスライド自在に嵌合する溝部がそれぞれ凹設されることが好ましい。また、上記エルボの第１差込み部と第２差込み部の端部にそれぞれ接着剤塗布用溝が設けられることが好ましい。
【発明の効果】
【０００６】
請求項１に記載の発明は上記のとおりであり、とくに、エルボの第１差込み部と第２差込み部とがそれぞれ竪樋に挿入可能とされ、上記第１カバー部材と第２カバー部材との接合面をそれぞれ略４５°にカットするとともに、Ｌ字型に接続可能であるため、竪樋どうしをＬ字型に、シャープな形状の外観で接続することができる。
【０００７】
上記第１カバー部材と第２カバー部材とは竪樋を切断して形成されているため、別部材として製作する必要はなく、接続部の段差をなくして、簡単に面一に接続することができる。
【０００８】
上記エルボの第１差込み部と第２差込み部の外側面にリブが突設されるとともに、上記第１カバー部材と第２カバー部材の内側面には上記リブがスライド自在に嵌合する溝部がそれぞれ凹設されているため、上記リブに接着剤を塗布して、それぞれを溝部に嵌合することにより、エルボに第１カバー部材と第２カバー部材とをしっかりと外嵌することができる。
【０００９】
上記エルボの第１差込み部と第２差込み部の端部に接着剤塗布用溝が設けられているため、上記溝に接着剤を塗布して竪樋に差込み、接着することにより、本発明の竪樋の接続構造と２本の竪樋とを水漏れを防いでＬ字型にしっかりと接続することができる。
【発明を実施するための最良の形態】
【００１０】
以下、本発明の実施形態について図面を参照して、詳細に説明する。図１は、本発明にかかる竪樋の接続構造Ａを示す分解斜視図である。上記竪樋の接続構造Ａは、エルボ１と、竪樋を切断するとともに、その接合面をそれぞれ略４５°にカットした端面２１と端面３１とを有する第１カバー部材２と第２カバー部材３とからなる。上記第１カバー部材２は、エルボ１の第１差込み部１１に、第２カバー部材３はエルボ１の第２差込み部１２にそれぞれ外嵌され、また、第１差込み部１１の端部には接着剤塗布用溝１１１が、第２差込み部１２の端部には接着剤塗布用溝１２１が設けられている。さらに、第１差込み部１１の外側面にはリブ１１２が、第２差込み部１２の外側面にはリブ１２２が突設されるとともに、第１カバー部材２の内側面には、上記リブ１１２とスライド自在に嵌合する溝部２２が、同じく第２カバー部材３の内側面には、上記リブ１２２とスライド自在に嵌合する溝部３２とがそれぞれ凹設されている。
【００１１】
図２は、図１に示す第１カバー部材２と第２カバー部材３とをエルボ１に外嵌し、端面２１と端面３１とを接合するとともに、Ｌ字型に接続した状態を示す斜視図である。このとき、上記リブ１１２、１２２に接着剤を塗布して溝部２２、３２に嵌合するとともに、上記端面２１と端面３１とを接着剤により接着することにより、エルボ１に第１カバー部材２と第２カバー部材３とをしっかりと装着することができる。
【００１２】
図３は、図２のように組み付けた竪樋の接続構造Ａの第１差込み部１１に竪樋４を、第２差込み部１２に竪樋５を差し込む状態を示す側面図である。このとき、第１差込み部１１の接着剤塗布用溝１１１と、第２差込み部１２の接着剤塗布用溝１２１に接着剤を塗布して竪樋４、５を差込み、接着することにより、竪樋の接続構造Ａと竪樋４、５とを水漏れを防いでしっかりと接続することができる。図４は、上記のようにして接続した状態を示す外観側面図である。図４から、本発明の竪樋の接続構造Ａを用いることにより、竪樋４と５とをＬ字型に接続することができるとともに、接続部の段差をなくして面一に、シャープな形状の外観とすることができることが明らかである。
【図面の簡単な説明】
【００１３】
【図１】本発明にかかる竪樋の接続構造を示す分解斜視図である。
【図２】上記竪樋の接続構造を組み付けた状態を示す斜視図である。
【図３】上記組み付けた竪樋の接続構造に竪樋をＬ字型に差し込む状態を示す側面図である。
【図４】上記竪樋の接続構造を用いて竪樋をＬ字型に接続した状態を示す外観側面図である。
【符号の説明】
【００１４】
Ａ          本発明にかかる竪樋の接続構造
１          エルボ
１１        第１差込み部
１１１      接着剤塗布用溝
１１２      リブ
１２        第２差込み部
１２１      接着剤塗布用溝
１２２      リブ
２          第１カバー部材
２１        端面
２２        溝部
３          第２カバー部材
３１        端面
３２        溝部
４、５      竪樋
【図１】
2005089994.tif 000003
【図２】
2005089994.tif 000004
【図３】
2005089994.tif 000005
【図４】
2005089994.tif 000006